(57)【要約】【課題】ボックス端子の脱落防止と併せて電線の配線作業性改善が図れるように端子カバー，およびその取付け構造を改良した電気器具の端子装置を提供する。【解決手段】左右を相間隔壁１１で仕切った本体ケース１の端子台１２に端子板２，該端子板に接続する電線を差し込み締結するネジ付きボックス端子３、および端子台の前面，上面を覆うモールド樹脂製の端子カバー４を装備した電気器具の端子装置において、前記端子カバーの前壁の裏側に、該壁に開口した電線挿入孔４５に合わせてボックス端子を所定位置に嵌合保持する端子保持枠４４を一体成型して設け、また端子カバーの下端には係合爪４７を設け、装着位置で本体ケースの係合溝１４に掛止させる。【選択図】        図１
2007213963.tif 000002
【特許請求の範囲】
【請求項１】
左右を相間隔壁で仕切った本体ケースの端子台に端子板，該端子板に接続する電線を差込み締結するネジ付きボックス端子、および端子台の前面，上面を覆うモールド樹脂製の逆Ｌ字形端子カバーを装備した電気器具の端子装置において、
前記端子カバーの前壁の裏側に、該壁に開口した電線挿入孔に合わせてボックス端子を嵌合保持する端子保持枠を一体成型したことを特徴とする電気器具の端子装置。
【請求項２】
請求項１に記載の端子装置において、端子カバーの前壁の下端部に、本体ケースへの装着位置で該ケースに係止する抜け止め用の係合爪部を設けたことを特徴とする電気器具の端子装置。
【請求項３】
請求項１に記載の端子装置において、端子カバーの上壁が、折り曲げヒンジを介して前壁の上縁に連設されていることを特徴とする電気器具の端子装置。
【発明の詳細な説明】
【技術分野】
【０００１】
本発明は、電磁開閉器，あるいは電磁開閉器に付属して使用する補助継電器（サーマルリレー）などを実施対象とした電気器具の端子装置に関する。
【背景技術】
【０００２】
頭記の電気器具には電線を配線するための端子装置として、電線の接続形態（圧着端子付き，あるいは素線）に合わせて器具側の端子板に直接螺合した端子ネジ，ないしは端子板に組み合わせて前方から挿入した電線を締結するボックス端子の端子金具を備えた上で、該端子（充電部）の感電防止対策として端子台の前面，上面を覆うように絶縁物（モールド樹脂）製の端子カバーを付設し（例えば、特許文献１参照）、この端子カバーを本体ケースへ着脱可能に係止固定するようにしている（例えば、特許文献２参照）。
【特許文献１】特開２００２−１７０６０５号公報
【特許文献２】特開２００２−１６３９７２号公報
【発明の開示】
【発明が解決しようとする課題】
【０００３】
ところで、前記した従来構造の端子装置は配線作業性の面で次記のような問題点がある。
【０００４】
すなわち、特許文献１の図１に開示されている端子構造では、ボックス端子を採用する場合にボックス端子を端子板に別なネジで固定する必要があってその組立作業に手間が掛かる。また、同文献の図８で示すようにボックス端子を端子板に遊嵌保持した構造では、ボックス端子のネジを緩めたまま配線作業の際に端子カバーを取り外すと、電気器具の据付け姿勢（縦向き姿勢）によってはボックス端子が端子板から不測に抜け落ちて脱落するおそれがある。
【０００５】
また、前記と同様な配線作業性の問題は、特許文献２に開示されている端子カバー装置においても発生する。
【０００６】
本発明は上記の点に鑑みなされたものであり、その目的は従来構造による前記問題点を解消し、ボックス端子の脱落防止と併せて配線作業性の改善が図れるように端子カバーおよびその取付け構造を改良した電気器具の端子装置を提供することにある。
【課題を解決するための手段】
【０００７】
上記目的を達成するために、本発明によれば、左右を相間隔壁で仕切った本体ケースの端子台に端子板，該端子板に接続する電線を差し込み締結するネジ付きボックス端子、および端子台の前面，上面を覆うモールド樹脂製の逆Ｌ字形端子カバーを装備した電気器具の端子装置において、
前記端子カバーの前壁の裏側に、該壁に開口した電線挿入孔に合わせてボックス端子を所定位置に嵌合保持する端子保持枠を一体に成型し（請求項１）、また端子カバーには次記のような構造を付加して構成するものとする。
（１）端子カバーの前壁下端部に、器具本体ケースへの装着位置で該ケースに係止する抜け止め用の係合爪を設ける（請求項２）。
（２）端子カバーの上壁が折り曲げヒンジを介して前壁の上縁に連設した構造とする（請求項３）。
【発明の効果】
【０００８】
上記の構成によれば、次記の効果を奏する。すなわち、
（１）端子カバーにボックス端子の保持枠を一体成型し、ここにボックス端子を嵌合保持しておくことにより、配線作業の際に端子カバーを取り外してもボックス端子が不測に脱落して紛失するのを防止できる。
（２）また、端子カバーの下端に係合爪を設け、器具本体ケースへの装着位置で前記係合爪を本体ケース側に掛止させることで、端子カバーをガタつきなしに定位置に安定よく固定することができる。
（３）さらに、端子カバーの上壁は、樹脂の弾性を利用した折り曲げヒンジを介して前壁の上縁に連設した構造とすることにより、端子カバーにボックス端子を保持させる際には、上壁を上向きに起立させ状態でボックス端子を前壁の裏面に設けた保持枠内に嵌入した後に上壁を横向きに戻すことで、ボックス端子を定位置に保持したまま端子カバーと一緒に取り扱うことができる。
【発明を実施するための最良の形態】
【０００９】
以下、本発明の実施の形態を図１〜図３に示す実施例に基づいて説明する。各図において、１は電気器具（電磁開閉器の付属サーマルリレー）の本体ケース、２は本体ケース１に組み込んだ３相主回路の端子板、３は電線（図示せず）を配線する場合に使用するボックス端子、４は端子台１２の前面，上面を覆う端子カバーである。
【００１０】
ここで、本体ケース１の端部には左右を相間隔壁１１で仕切った端子台１２を形成して、この端子台１２の上に端子板２の先端を引き出している。また、ボックス端子３は先記の特許文献１に開示されているものと同様な構造で、導電材質のボックス３１と、ボックス３１の頂部に螺合したワッシャ付き締結ネジ３２からなり、ボックス３１を端子板２の先端に遊嵌し、この位置で前方からボックス３１に挿入した電線の素線をネジ３２により締結して端子板２との間に挟持固定する。
【００１１】
一方、モールド樹脂成型品の端子カバー４は、前記端子台１２の前方を覆う前壁４１と、前壁４１の上縁に樹脂の弾性を利用した折り曲げヒンジ４２を介して連なる上壁４３からなり、前壁４１の裏面側には３相分のボックス端子３を左右に並べて嵌合保持するボックス端子保持枠４４が一体に形成されている。ここで、前壁４１には各相のボックス端子３に通じる電線挿入孔４５が左右に並んで開口し、さらに左右側縁の中段位置には係合突起４６，下端には二股状の係合爪４７が形成されている。また、上壁４３には前記ボックス端子３の締結ネジ３２に対応するネジ操作孔４８が開口し、後縁には係合爪４９が形成されている。また、前記の係合突起４６，係合爪４７に対応して器具の本体ケース１には、相間隔壁１１の前部，および端子台１２の底部に係合溝１３，１４が形成されている。
【００１２】
上記の構成で、ボックス端子３を使用して電線（素線）を配線する場合には、端子カバー４を本体ケース１から取り外し、その上壁４３を図１（ａ）のように上向きに起立させた状態で各相のボックス端子３を上方からボックス端子保持枠４４に挿入し、次いで上壁４３を図１（ｂ）で示すように横向き姿勢に倒してボックス端子３が保持枠４４から抜け出ないように保持する。
【００１３】
次に、端子カバー４を前方から本体ケース１の相間隔壁１１の間に押し込み装着し、この装着位置で保持枠４４に保持したボックス端子３のボックス３１を端子板２の先端に嵌挿するとともに、前記係合突起４６を相間隔壁１１の係合溝１３に圧入し、下端の係合突起４７をケース側の係合溝１４に掛止させる。同時に上壁４３の後縁に設けた係合爪４９を本体ケース１にクリック結合させて定位置に固定する。これにより端子カバー３はガタつきなしに、本体ケース１へ安定よく抜け止め支持されることになる。
【００１４】
この端子組立状態で電線を接続するには、端子カバー４の前壁４１に開口した孔４５を通して電線の素線を前方から挿入してボックス端子３のボックス３１に差し込み、上壁４３に開口した孔４８に差し込んだネジ回し工具（ドライバー）によりボックス端子３の締結ネジ３２を締め付けて電線を端子板２に圧接した状態に挟持固定する。
【００１５】
なお、電線の非接続状態で本体ケース１から端子カバー４を取り外すと、ボックス端子３は保持枠４４に保持されたまま、端子カバー４と一緒に端子板２から引き出されることになるので、ボックス端子３が不測に脱落するおそれはない。
【図面の簡単な説明】
【００１６】
【図１】本発明の実施例による端子装置の構成図で、（ａ）は分解斜視図、（ｂ）はボックス端子を嵌合保持した状態を表す端子カバーの斜視背面図
【図２】図１における端子カバーの取付構造の説明図で、（ａ）は端子カバーの正面図、（ｂ）は本体ケースの端子台部の正視断面図
【図３】図１の端子装置を組み付けた電気器具の外観斜視図
【符号の説明】
【００１７】
１    電気器具の本体ケース
１１  相間隔壁
１２  端子台
２    端子板
３    ボックス端子
４    端子カバー
４１  前壁
４２  折り曲げヒンジ
４３    上壁
４４  ボックス端子保持枠
４５  電線挿入孔
４７  係合爪
【図１】
2007213963.tif 000003
【図２】
2007213963.tif 000004
【図３】
2007213963.tif 000005